(57)【要約】【課題】装置本体を構成する構造体或いは部品（以下、構造体及び部品を含めて「装置本体部材」という。）を加振発音させることにより、スピーカー等の嵩張りかつ高価な音響部品を不要とし、装置の体積の増大、拡張をせずに装置の定常騒音の低減が可能な騒音防止機構を備えた画像形成装置を提供する。【解決手段】機内騒音を検知測定して、その結果に基づき逆位相音を発音部材により発音させて機内騒音を防音或いは静音化する騒音防止機構３０を有する画像形成装置において、発音部材が画像形成装置本体内の構造体２９ａ、又は、構造体に締結されている部品２９ｂである。【選択図】図１
2006235405.tif 000002
【特許請求の範囲】
【請求項１】
機内騒音を検知測定して、その結果に基づき逆位相音を発音部材により発音させて機内騒音を防音或いは静音化する騒音防止機構を有する画像形成装置において、
前記発音部材が画像形成装置本体内の構造体、又は、構造体に締結されている部品であることを特徴とする画像形成装置。
【請求項２】
前記発音部材の周波数応答特性が、相殺対象騒音の基本周波数において０ｄｂ以上の入力信号増幅領域にあることを特徴とする請求項１に記載の画像形成装置。
【請求項３】
前記騒音防止機構は、機内の騒音を検知測定する騒音検知手段と、前記騒音検知手段からの騒音の音響振動を電圧に変換する振動電圧変換器と、前記振動電圧変換器からの信号の位相を反転する位相反転器と、前記位相反転器からの同振幅で逆位相の信号を最適化する手段と、前記最適化手段からの同振幅、逆位相の信号を増幅する増幅器と、前記増幅された信号により駆動されるアクチュエータユニットと、を備えていることを特徴とする請求項１又は２に記載の画像形成装置。
【請求項４】
前記騒音防止機構手段は、全体が、或いは、その一部が、画像形成装置本体とは別の１つの筐体に取り付けられ、任意の場所への着脱が可能であり、信号出力の正逆位相の切り替えが可能であることを特徴とする請求項１〜３のいずれかの項に記載の画像形成装置。
【請求項５】
前記アクチュエータユニットは、電磁振動アクチュエータであることを特徴とする請求項３又は４に記載の画像形成装置。
【請求項６】
前記アクチュエータユニットは、磁歪振動アクチュエータであることを特徴とする請求項３又は４に記載の画像形成装置。
【請求項７】
前記画像形成装置本体内の構造体、又は、構造体に締結されている部品は、鉄系金属製部材であることを特徴とする請求項１〜６のいずれかの項に記載の画像形成装置。
【発明の詳細な説明】
【技術分野】
【０００１】
本発明は、冷却ファン、駆動モータなどから発生する騒音を防止、静音化するための騒音防止機構を備えた、例えばレーザービームプリンタ、電子写真複写機などの画像形成装置に関するものである。
【背景技術】
【０００２】
図９に、従来の電子写真画像形成装置の一例を示す。
【０００３】
本例の画像形成装置１００は、給紙カセット１０１内の記録材としての転写材Ｓは、給紙ローラ１０２が駆動されると、給紙が行われ、紙ガイド１０３によってガイドされ、レジストローラ１０４に当接する。
【０００４】
転写材Ｓがレジストローラ１０４に当接したことを、不図示のセンサーが検知すると、レジストローラ１０４が駆動され、転写材Ｓは、プロセスカートリッジ１０５の感光体ドラム１０５ａ、転写ローラ１０６との間へ搬送され、感光体ドラム１０５ａに形成されたトナー像が転写される。
【０００５】
次いで、トナー像が転写された転写材Ｓは、定着器１０７を構成するヒータを内蔵した熱ローラ１０７ａと、熱ローラ１０７ａに圧接している加圧ローラ１０７ｂとの間に搬送され、定着が行われる。そして、紙ガイド１０８にガイドされて排紙ローラ１０９によって、スタッカー１１０へ排出される。
【０００６】
給紙ローラ１０２、レジストローラ１０４、カートリッジ１０５、熱ローラ１０７ａ、排紙ローラ１０９は、不図示の駆動モータによって駆動され、適時にＯＮ、ＯＦＦ制御されている。
【０００７】
実際の像形成工程では、カートリッジ１０５内の感光体ドラム１０５ａに、画像イメージを露光するのに、露光装置１１１を構成する不図示のレーザーユニットとコリメーターレンズによって発せられたレーザー光を、スキャナモータ１１２の軸に取り付けられているポリゴンミラー１１３に照射し、ポリゴンミラー１１３が回転駆動され、そしてｆθレンズ１１４とミラー１１５を通り感光体ドラム１０５ａへレーザー光を走査する。
【０００８】
また、装置本体１００Ａには、電源部１１６及び電気基板１１７などが配置されている。
【０００９】
このように、一般に電子写真画像形成装置内部には、転写材Ｓの定着器１０７、電源部１１６、諸々の機構駆動モータ、スキャナモータ１１２、電気基板１１３などの発熱体が存在する一方、トナー、光学レンズ、ゴムローラ、電気基板上のＩＣ等、ある上限温度を超えるとその機能や耐久性に支障をきたす部品と材料も多数搭載されている。
【００１０】
そのため、通常は、吸気又は排気ファン１１８や、ルーバー１１９、１２０を外装カバー等に設けて排熱、換気を稼動中は絶えることなく行っている。
【００１１】
昨今、プリントアウトの高速化／高画質化に伴い、装置内部で消費される電力が増大したため吸気または排気ファンの個数を増やしたり、流量確保のためファンを高速回転させることが多くなった。
【００１２】
それと同時に、上記ファンやルーバーの回転風切音や、レーザースキャナ高速回転音が無視できないほど増大する弊害も発生してしまった。
【００１３】
そこで、例えば、特許文献１では、定常騒音防止策として、騒音源となるファン等の音をマイクで収集し、ＤＳＰ回路によってマイクからの音声波を逆位相に変換し、その結果を装置内に装着されたスピーカーから出力させ、ファンの音とスピーカーからの逆位相音を装置内部で合成、相殺する騒音防止手段が使用されてきた。
【００１４】
つまり、図９に示すように、ダクト１２１内には、その下方に、冷却ファン１１８を設け、その他に、騒音防止のために制御されるスピーカー１２２、発生する騒音の評価用マイク１２３が配置されている。また、冷却ファン１１８の直下にポート１２４、１２５があり、このポートによって風路が２方向に分けられている。
【００１５】
ポート１２４は、冷却ファン１１８による負圧によって、吸気ルーバー１１９から矢印の如く外気が吸入され、この外気を用いてスキャナモータ１１２と、不図示のレーザーユニットと、ｆθレンズ１１４等の光学系を収納している不図示の光学箱及びプロセスカートリッジ１０５内のトナー、廃トナー部とを冷却するための風路を構成する不図示のダクトへ連結されている。
【００１６】
ポート１２５は、電源部１１６へと通じており、そのための外気の吸気口（不図示）は、装置本体１００Ａの下面に設けられていて、矢印の如く外気を導入する構成となっている。
【００１７】
従って、冷却ファン１１８によって、吸気ルーバー１１９及び装置本体１００Ａの下面にある不図示の吸気口から、外気が導入され、上述した各ユニットの冷却を行いながら、ポート１２４、１２５からダクト１２１内ヘ流入し、最後に電気基板部１１７の冷却を行って、排気ルーバー１２０より矢印の如く排気を行う構成となっている。
【特許文献１】特開平６−８５８１号公報
【発明の開示】
【発明が解決しようとする課題】
【００１８】
しかしながら、上記従来例では音響専用部品であるスピーカー１２２を使用したため、以下のような欠点があった。
【００１９】
部品単価の高いスピーカーを、主要騒音源に向け傾けて設置しなくてはならず、逆位相音を合成相殺する広い音場と導波部が必要であることも含めて、装置の体積を増大せざるを得なかった。
【００２０】
また、低域の騒音まで逆位相相殺させようとすると、低音再生が可能な大径のスピーカーを使用しなければならず、同様に装置の寸法増大を招いていた。
【００２１】
そこで、本発明の目的は、装置本体を構成する構造体或いは部品（以下、構造体及び部品を含めて「装置本体部材」という。）を加振発音させることにより、スピーカー等の嵩張りかつ高価な音響部品を不要とし、装置の体積の増大、拡張をせずに装置の定常騒音の低減が可能な騒音防止機構を備えた画像形成装置を提供することである。
【００２２】
本発明の他の目的は、小型、小径のスピーカーでは再生できない低音を、装置内の比較的軽量、大型で最低固有振動数（ｆ０）の低い部材を加振発音させることにより発生可能とし、騒音防止の有効帯域が広い騒音防止機構を備えた画像形成装置を提供することである。
【００２３】
本発明の他の目的は、金属製の装置本体部材を加振発音させた場合、スピーカーエッジ、コーン紙等の非金属部材の環境、耐久特性を無視することができるため、半永久的な機能と効果の維持が可能であり、かつ、メンテナンスフリーである騒音防止機構を備えた画像形成装置を提供することである。
【課題を解決するための手段】
【００２４】
上記目的は本発明に係る画像形成装置の騒音防止機構にて達成される。要約すれば、本発明によれば、機内騒音を検知測定して、その結果に基づき逆位相音を発音部材により発音させて機内騒音を防音或いは静音化する騒音防止機構を有する画像形成装置において、
前記発音部材が画像形成装置本体内の構造体、又は、構造体に締結されている部品であることを特徴とする画像形成装置が提供される。
【発明の効果】
【００２５】
本発明によれば、
（１）装置本体を構成する構造体か或いは部品、即ち、装置本体部材を加振発音させるため、スピーカー等の嵩張りかつ高価な音響部品が不要である。装置の体積の増大、拡張をせずに装置の定常騒音の低減が可能である。また、
（２）小型、小径のスピーカーでは再生できない低音を、装置内の比較的軽量、大型で最低固有振動数（ｆ０）の低い部材を加振発音させることにより発生可能であり、騒音防止の有効帯域が広い。更に、
（３）金属製の装置本体部材を加振発音させた場合、スピーカーエッジ、コーン紙等の非金属部材の環境、耐久特性を無視することができるため、半永久的な機能と効果の維持が可能であり、メンテナンスフリーである。
【発明を実施するための最良の形態】
【００２６】
以下、本発明に係る騒音防止機構を備えた画像形成装置を図面に則して更に詳しく説明する。
【００２７】
実施例１
図１は、本発明に係る騒音防止機構を備えた画像形成装置の一実施例であるカラー電子写真画像形成装置の全体構成を示す。先ず、図１を参照して、カラー電子写真画像形成装置全体の概略構成について説明する。
【００２８】
図１を参照すると、カラー電子写真画像形成装置１００は、画像形成装置本体１００Ａに、複数の、本実施例では４個の画像形成ステーション、即ち、画像形成部Ｐａ、Ｐｂ、Ｐｃ、Ｐｄを縦方向に並設して有しており、各画像形成部Ｐａ、Ｐｂ、Ｐｃ、Ｐｄでは、各々、装着手段（不図示）にてプロセスカートリッジ２（２ａ、２ｂ、２ｃ、２ｄ）が着脱可能に装着されている。
【００２９】
各プロセスカートリッジ２（２ａ、２ｂ、２ｃ、２ｄ）は、像担持体としてのドラム状の電子写真感光体、即ち、感光体ドラム３（３ａ、３ｂ、３ｃ、３ｄ）を備えている。感光体ドラム３は、駆動モータのような駆動手段（不図示）によって、同図中、反時計回りに回転駆動される。感光体ドラム３の周囲には、その回転方向に従って順に、感光体ドラム３表面を均一に帯電する帯電ローラなどとされる帯電手段４（４ａ、４ｂ、４ｃ、４ｄ）、画像情報に基づいてレーザービームを照射し感光体ドラム３上に静電潜像を形成するスキャナユニット９（９ａ、９ｂ、９ｃ、９ｄ）、静電潜像にトナーを付着させてトナー像として現像する現像手段５（５ａ、５ｂ、５ｃ、５ｄ）、感光体ドラム３上のトナー像が転写される記録材としての転写材Ｓを静電的に吸着して搬送する静電搬送ベルト２２、転写後の感光体ドラム３表面に残った転写残トナーを除去するクリーニング手段６（６ａ、６ｂ、６ｃ、６ｄ）等が配設されている。静電搬送ベルト２２は、駆動ローラ２１と支持ローラ２３、テンションローラ２４の間に張設され、矢印方向に回動する。又、感光体ドラム３（３ａ、３ｂ、３ｃ、３ｄ）に対向して転写手段としての転写ローラ８（８ａ、８ｂ、８ｃ、８ｄ）が配置されている。
【００３０】
本実施例では、感光体ドラム３、帯電手段４、現像手段５、クリーニング手段６は一体的にカートリッジ化され、プロセスカートリッジ２（２ａ、２ｂ、２ｃ、２ｄ）を形成している。
【００３１】
次に、画像形成動作について説明する。
【００３２】
上記構成にて、給紙部１により、積載紙束２８から分離搬送された転写材Ｓは、レジストローラ対７で整列後、高電圧が印加された吸着ローラ１７により静電搬送ベルト２２に貼り付けられ、第１の画像形成部Ｐａ、即ち、プロセスカートリッジ２ａへと移送され、転写ローラ８ａに至る。
【００３３】
一方、第１画像形成部Ｐａでは、帯電ローラ４ａにて帯電された感光体ドラム３ａは、スキャナユニット９ａにて露光され、静電潜像が形成される。この感光体ドラム３ａ上の潜像は、カートリッジ２ａ内の現像手段である現像剤担持体としての現像スリーブ５ａにより現像され、トナー像とされる。このトナー像は、駆動ローラ２１によって回転駆動される静電搬送ベルト２２上の転写材Ｓにトナー像を転写する。
【００３４】
以後、同様にして、第２、第３及び第３画像形成部Ｐｂ、Ｐｃ及びＰｄにてトナー像が形成され、静電搬送ベルト２２上の転写材Ｓに転写される。
【００３５】
このようにして、所望の回数だけ色トナー画像が転写された静電搬送ベルト２２上の転写材Ｓは、装置本体右上方に設置される定着器１１に向かって、静電搬送ベルト２２の回転に従って搬送される。静電搬送ベルト２２から分離され、定着終了後、排紙ローラ１２も回転して、定着後の転写材ＳをＦＤ排紙トレイ１３に向かって排紙されれば、片面の印字は終了する。
【００３６】
また、両面印字を所望する場合は、排紙ローラ１２にて転写材Ｓを完全に排紙させず、転写材Ｓの後端部をピンチしたまま排紙ローラ１２を、排紙時とは反対に回転させ、両面再給紙搬送部１５に導入させれば前記レジストローラ対７の直前まで、両面再給紙搬送ローラ１６が転写材Ｓを再給紙して、２面目トナーイメージの転写タイミング待ちの状態となる。
【００３７】
上記構成の画像形成装置が稼動状態において、本実施例においては、以下の構成と作用を行う。
【００３８】
つまり、画像形成装置本体１００Ａに電源が投入されるか、スリープ状態から復帰すると、装置本体最上部に設けられた排気ファン２７にも通電され、排気を開始する。装置本体稼動時と冷却のための電源遅延ＯＦＦ時には、排気ファン２７は必ず回転している。
【００３９】
本実施例においては、排気ファン２７の騒音は、図２に示す騒音防止機構３０にて防音或いは静音化される。また、騒音防止機構３０は、詳しくは後述するが、全体が、或いは、その一部が、画像形成装置本体１００Ａとは別の１つの筐体に内蔵され、任意の場所への着脱が可能であり、取り付け部材の裏面、表面にかかわらず逆位相音が得られるように、正逆位相の切り替えが可能である。
【００４０】
図２をも参照して説明すると、本実施例では、騒音防止機構３０は、相殺対象の騒音発生源である排気ファン２７近傍に設置された、機内騒音検知手段としての騒音収集用マイク３９により騒音が検知測定され、且つ騒音の音響振動を電圧変動に変換して、制御基板４４に信号を入力する。制御基板４４には、位相反転器４４ａ、最適化フィルター４４ｂ、信号増幅器４４ｃが内蔵されており、位相反転器４４ａにより元の騒音に対して瞬時に位相を反転し、最適化フィルター４４ａにより同振幅で逆位相の信号を最適化し、増幅器４４ｃによりこの最適化された同振幅、逆位相の信号を増幅する。制御基板４４にて増幅された駆動信号がアクチュエータユニット３１に入力される。アクチュエータユニット３１は、本実施例では、装置本体部材２９を構成する、図１では、装置本体構造体である天板２９ａの裏面に設置されている。また、アクチュエータユニット３１は、電磁振動アクチュエータ又は磁歪振動アクチュエータを使用することができる。
【００４１】
図３を参照して、本実施例の騒音防止機構３０を構成するアクチュエータユニット３１を説明する。
【００４２】
図３にて、アクチュエータユニット３１は、天板２９ａの裏面に一端を結合されているコイルボビン３２、コイルボビン３２に巻かれているコイル３３、コイル３３の外周部に、間隙を隔てて設置されるリングマグネット３５、リングマグネット３５の外周に取り付けられた鉄系金属製のキャップ３４、コイルボビン３２の他端と鉄系金属製のキャップ３４の中央部を振動遮断的に結合するアイソレータ３６により構成されている。
【００４３】
また、固定駆動系（鉄系金属製のキャップ３４、リングマグネット３５）の総質量が、被加振駆動系（天板２９ａ、コイルボビン３２、コイル３３、）の総質量よりも充分に大きく設定されている。
【００４４】
駆動信号がコイル３３に流されると、コイル３３自体が交流的に電磁石化するため、固定されたリングマグネット３５とキャップ３４に対して軸垂直方向の相対的交流振動を生じ、コイルボビン３２を介して天板２９ａを駆動信号に従い、交流的に加振する（ムービングコイル式加振）。加振される天板２９ａは、以下で述べる騒音の基音成分、即ち一次（Ｋ＝１）の騒音成分の周波数Ｆ１においてその周波数応答性が０以上の入力信号増幅領域であるため、交流振動が音声となって排気ファン２７の近傍に放射される。
【００４５】
排気ファン２７の発生騒音と、天板２９ａから排気ファン２７近傍に放射される音声は、互いに逆位相であるため、排気ファン２７近傍の空間で、２者は打ち消しあい、排気ファン２７の発生騒音の振幅、音圧は減少するか、消滅する。
【００４６】
以下に、本実施例にて排気ファン２７として使用した軸流ファンＮＭＢ  ３１１０ＲＬ−０５Ｗ−Ｂ５９に対する効果の実測例を示す。
【００４７】
図４に、排気ファン騒音ピーク３６８Ｈｚの反転相殺効果を示す。
【００４８】
排気ファン２７が回転すると、回転数Ｎ（ｒｐｓ）とファン羽根の個数Ｚにより、
Ｆ＝Ｋ＊Ｎ＊Ｚ  （Ｈｚ、Ｋは次数）
にピークを有する騒音が発生する。ここで、その騒音の基音成分、即ち一次（Ｋ＝１）の騒音成分の周波数をＦ１とする。
【００４９】
Ｆ１＝３６８Ｈｚにおける排気ファン２７の初期騒音は、−４３．７ｄｂである。騒音防止機能を作動させると、−４５ｄｂとなり、１．３ｄｂの騒音減少効果があることが分かる。
【００５０】
図５に、アクチュエータ４２により加振発音されている天板２９ａの周波数応答特性を示す。
【００５１】
Ｆ１＝３６８Ｈｚにおいて、利得は＋１３ｄｂであり、天板２９ａはアクチュエータ４２の振動に対して入力信号増幅領域にあると言える。
【００５２】
天板２９ａの周波数応答特性を示す図５を基に、本実施例ではＦ１＝３６８Ｈｚにおける排気ファン２７の騒音減少効果が達成されることを証明した。それ以外の帯域（０〜５００Ｈｚ）においても、各種騒音源に対して同様の効果が得られることは明白である。
【００５３】
実施例２
図６に、本発明に係る画像形成装置の騒音防止機構の第二の実施例を示す。
【００５４】
本実施例において、画像形成装置は、実施例１と同様の構成とされるので、実施例１の説明を援用し、同じ構成及び機能をなす部材には同じ参照番号を付すに止め、ここでの再度の説明は省略する。
【００５５】
図６に示す画像形成装置本体１００Ａに、電源が投入されるか、スリープ状態から復帰すると、露光準備のためレーザースキャナ９（９ａ、９ｂ、９ｃ、９ｄ）内のポリゴンミラーモータ１０（１０ａ、１０ｂ、１０ｃ、１０ｄ）も回転を開始し、ミラー風切音などの騒音が発生し始める。
【００５６】
相殺対象の騒音発生源であるレーザースキャナ９（９ａ、９ｂ、９ｃ、９ｄ）近傍の本体側板２９ｂ上にアクチュエータユニット３１のキャップ３４が結合されており、アクチュエータユニット３１自体は、支持体４２によって装置本体１００Ａ内に吊り下げられている。
【００５７】
図７に、本実施例のアクチュエータユニット３１の部分詳細断面図を示す。
【００５８】
図７にて、アクチュエータ筐体３７に振動遮断アイソレータ３８を介して取り付けられている騒音収集用マイク３９は、音響振動を電圧に変換して、制御基板４４に信号を入力する。制御基板４４には、実施例１で説明したように、入力信号の位相反転、最適化フィルター、信号増幅器が内蔵され、元の騒音に対して瞬時位相反転、最適化、増幅された駆動信号が、同じく制御基板４４上に設けられたコイル３３に入力される。
【００５９】
アクチュエータユニット３１は、上記のほかに、コイル３３の円周部に空隙を隔てて設置されるリングマグネット３５、リングマグネット３５の外周部に取り付けられた鉄系金属製のキャップ３４、アクチュエータ筐体３７の裏面からコイル３３と制御基板４４を貫通する筐体軸３７ａ、筐体軸３７ａの一端と鉄系金属製のキャップ３４の中央部を振動遮断的に結合するアイソレータ３６により構成されている。
【００６０】
またこのとき、固定駆動系（コイル３３、アクチュエータ筐体３７、制御基板４４）の総質量が、被加振駆動系（リングマグネット３５、鉄系金属製のキャップ３４、本体側板２９ｂ）の総質量よりも充分に大きく設定されている。
【００６１】
駆動信号がコイル３３に流されるとコイル３３自体が交流的に電磁石化し、リングマグネット３５とキャップ３４は軸垂直方向の相対的交流振動を生じて駆動信号に従い、本体側板２９ｂを交流的に加振する（ムービングマグネット式加振）。
【００６２】
加振される本体側板２９ｂは、相殺対象の騒音の基音成分、即ち一次（Ｋ＝１）の騒音成分の周波数Ｆ１においてその周波数応答が０ｄｂ以上の入力信号増幅領域であるため、交流振動が音声となってのレーザースキャナ９（９ａ、９ｂ、９ｃ、９ｄ）近傍に放射される。
【００６３】
レーザースキャナ９（９ａ、９ｂ、９ｃ、９ｄ）の発生騒音と、本体側板２９ｂからレーザースキャナ９（９ａ、９ｂ、９ｃ、９ｄ）近傍に放射される音声は互いに逆位相であるため、レーザースキャナ９近傍の空間で２者は打ち消しあい、レーザースキャナ９（９ａ、９ｂ、９ｃ、９ｄ）の発生騒音の振幅、音圧は減少するか、消滅する。
【００６４】
図８は、本実施例のアクチュエータユニット３１の変更例の部分詳細断面図である。
【００６５】
この変更例に示すように、アクチュエータ筐体３７より騒音収集用マイク３９を、マイクジャック４５とマイクプラグ４６を介して分離させて、アイソレータ３８を介してマイク台５０に取り付け、そして、任意の騒音収集位置に設置することも可能である。
【００６６】
騒音減少のメカニズムは実施例１と同様なため、詳細説明は省略する。
【００６７】
尚、実施例１及び実施例２では、減少の対象騒音源として排気ファン、ポリゴンモータを例にとって説明してきた。
【００６８】
しかし、本発明の対象騒音源は、上記に限定されるものではなく、他の定常的な騒音源（紙搬送モータ、転写ベルト駆動モータ、定着モータ）でも、同様な騒音減少、防止効果が得られることは明白である。
【図面の簡単な説明】
【００６９】
【図１】本発明に係る騒音防止機構が適用された画像形成装置の一実施例を示す概略構成断面図である。
【図２】騒音防止機構の概略構成を示す図である。
【図３】図１のアクチュエータの部分詳細断面図である。
【図４】排気ファン騒音ピーク３６８Ｈｚの反転相殺効果を示す図である。
【図５】天板の周波数応答特性図である。
【図６】本発明に係る騒音防止機構が適用された画像形成装置の他の実施例を示す概略構成断面図である。
【図７】図６の騒音防止機構の部分詳細断面図である。
【図８】騒音防止機構の他の実施例の部分詳細断面図である。
【図９】従来の騒音防止機構を備えた画像形成装置の概略構成断面図である。
【符号の説明】
【００７０】
２（２ａ〜２ｄ）          トナーカートリッジ
３（３ａ〜３ｄ）          感光体ドラム（像担持体）
９（９ａ〜９ｄ）          スキャナユニット
１０（１０ａ〜１０ｄ）    ポリゴンミラーモータ
１１                      定着器
２１                      駆動ローラ
２２                      静電搬送ベルト
２７                      排気ファン
２９                      装置本体部材
２９ａ                    装置本体天板
２９ｂ                    装置本体側板
３０                      騒音防止機構
３１                      アクチュエータユニット
３２                      コイルボビン
３３                      コイル
３４                      金属製キャップ
３５                      リングマグネット
３６、３８                アイソレータ
３７                      筐体
３７ａ                    筐体軸
３９                      騒音収集用マイク（騒音検知手段）
４２                      支持体
４４                      制御基板
４５                      マイクジャック
４６                      マイクプラグ
５０                      マイク台
【図１】
2006235405.tif 000003
【図２】
2006235405.tif 000004
【図３】
2006235405.tif 000005
【図４】
2006235405.tif 000006
【図５】
2006235405.tif 000007
【図６】
2006235405.tif 000008
【図７】
2006235405.tif 000009
【図８】
2006235405.tif 000010
【図９】
2006235405.tif 000011